(57)【要約】【課題】複数の記録層を有する光ディスクへの記録を行う際、記録層間のクロスイレーズを低減し、良好な記録が行える光記録再生装置を提供する。【解決手段】複数の記録層への記録再生を行う光ピックアップ３と、光ピックアップ３で検出された再生信号を検出する検出手段４と、この再生信号に基づいて、記録パワーが最適試し書き記録パワーでない場合には、試し書き記録パワー値を出力し、最適試し書き記録パワーである場合には、この最適試し書き記録パワー値を出力する条件設定手段５と、最適試し書き記録パワー値を格納する記憶手段６と、この試し書き記録パワー値に基づいて、試し書きする記録条件を出力する試し書き制御手段７と、前記試し書き制御手段から出力された各記録層に試し書きする記録パワー値か或いは、前記記憶手段に格納された最適試し書き記録パワー値を出力させる記録系制御手段８と、を備えて記録再生を行う。【選択図】      図１
2004246943.tif 000002
【特許請求の範囲】
【請求項１】
複数の記録層を有する光ディスクへの記録再生を行う光ディスク記録再生装置において、
前記複数の記録層への記録再生を行う、少なくとも半導体レーザを備えた光ピックアップと、
前記光ピックアップで検出された複数の記録層毎の再生信号を検出する再生信号検出手段と、
前記複数の記録層毎の再生信号に基づいて、記録パワーが最適試し書き記録パワーでない場合には、試し書き記録パワー値を再度出力し、最適試し書き記録パワーである場合には、この最適試し書き記録パワー値を出力する記録再生条件設定手段と、
前記記録再生条件設定手段から出力された前記最適試し書き記録パワー値を格納する記憶手段と、
前記記録再生条件設定手段から出力された試し書き記録パワー値に基づいて、各記録層に試し書きする記録パワー値を出力する試し書き制御手段と、
前記試し書き制御手段から出力された各記録層に試し書きする記録パワー値或いは、前記記憶手段に格納された最適試し書き記録パワー値を出力させる記録系制御手段と、
前記記録系制御手段から出力された記録パワー値或いは前記最適試し書き記録パワー値に基づいて、前記光ピックアップ内の半導体レーザを駆動させる信号を出力するレーザ駆動手段と、
からなることを特徴とする光記録再生装置。
【発明の詳細な説明】
【０００１】
【発明の属する技術分野】
本発明は、多層記録媒体に記録層間のクロスイレーズを低減した記録を行う光記録再生装置に関する。
【０００２】
【従来の技術】
近年、光ディスク等の光記録媒体の記録層を多層化して高密度化する試みがなされている。
特許文献１には、光ディスクの複数の記録層への情報の記録、消去又は再生を行う光記録再生装置において、所定情報を複数の記録層のトラックに異なる条件で試験的に複数記録する試験記録手段と、いずれかの記録層のトラックから再生された所定情報を示す再生信号を検出する再生信号検出手段と、所定の記録層上の情報トラックに対して、前記試験記録手段により所定情報を複数記録するとともに前記再生信号手段によりこれら所定情報を示す再生信号をそれぞれ検出し、これら再生信号に基づいて前記情報トラックに対する記録、消去又は再生条件を選択する試し書き手段と、この試し書き手段により、各記録層上の情報トラックに対する記録等の条件を選択し、これらの条件に基づいて各記録層上の情報トラックに対して情報の記録等を行う制御手段とを備えて、各記録層に適切な光パワーで記録、消去又は再生できる光記録再生装置が開示されている。
【０００３】
【特許文献１】
特開平１１−００３５５０号公報（第３−第９頁、第１図）
【０００４】
【発明が解決しようとする課題】
しかしながら、記録層が複数ある場合に、光ビーム照射側から遠い記録層への記録は、それよりも近い記録層よりも大きい光パワーを必要とするので、光ビーム照射側から最も遠い記録層に最適条件で記録すると、それよりも近い記録層は、この光パワーの影響を少なからず受けるため、記録層間のクロスイレーズが発生して、記録された信号の劣化が起きるといった問題を生じていた。
【０００５】
そこで、本発明は、上記問題に鑑みてなされたものであり、複数の記録層を有する光ディスクへの記録を行う際、記録層間のクロスイレーズを低減させた記録が行える光記録再生装置を提供することを目的とする。
【０００６】
【課題を解決するための手段】
本発明は、複数の記録層を有する光ディスクへの記録再生を行う光ディスク記録再生装置において、前記複数の記録層への記録再生を行う、少なくとも半導体レーザを備えた光ピックアップと、前記光ピックアップで検出された複数の記録層毎の再生信号を検出する再生信号検出手段と、前記複数の記録層毎の再生信号に基づいて、記録パワーが最適試し書き記録パワーでない場合には、試し書き記録パワー値を再度出力し、最適試し書き記録パワーである場合には、この最適試し書き記録パワー値を出力する記録再生条件設定手段と、前記記録再生条件設定手段から出力された前記最適試し書き記録パワー値を格納する記憶手段と、前記記録再生条件設定手段から出力された試し書き記録パワー値に基づいて、各記録層に試し書きする記録パワー値を出力する試し書き制御手段と、前記試し書き制御手段から出力された各記録層に試し書きする記録パワー値或いは、前記記憶手段に格納された最適試し書き記録パワー値を出力させる記録系制御手段と、前記記録系制御手段から出力された記録パワー値或いは前記最適試し書き記録パワー値に基づいて、前記光ピックアップ内の半導体レーザを駆動させる信号を出力するレーザ駆動手段と、からなることを特徴とする光記録再生装置を提供する。
【０００７】
【発明の実施の形態】
以下、本発明の光記録再生装置について、図１乃至図５を用いて説明する。
図１は、本発明の実施形態の光記録再生装置を示す概略ブロック図である。
図２は、光ディスクの記録層の積層構造を示す図である。
図３は、Ｌｎ記録層に最適記録パワー値で記録を行った後、Ｌｎ−１記録層に記録を行う際に、Ｌｎ記録層におけるジッタ値とＬｎ−１記録層への記録パワーとの関係を示す図である。
図４は、Ｌｎ−１記録層のジッタ値とＬｎ−１記録層への記録パワーとの関係を示す図である。
図５は、光記録再生装置の動作を示すフローチャート図である。
【０００８】
図１に示すように、本発明の実施形態の光記録再生装置１は、複数の記録層を有する光ディスク２への記録再生を行う、少なくとも半導体レーザを含む光ピックアップ３と、この光ピックアップ３で検出された複数の記録層の再生信号を検出する再生信号検出回路４と、再生信号検出回路４で検出された複数の記録層毎の再生信号に基づいて、記録パワーが最適試し書き記録パワーでない場合には、試し書き記録パワーを再度出力し、最適試し書き記録パワーである場合には、この最適試し書き記録パワーを出力する記録再生条件設定回路５と、記録再生条件設定回路５から出力された最適試し書き記録パワー値を格納する記憶回路６と、記録再生条件設定回路５から出力された試し書き記録パワー値に基づいて、各記録層に試し書きする記録パワー値を出力する試し書き制御回路７と、からなる。
【０００９】
更に、試し書き制御回路７から出力された各記録層に試し書きする記録パワー値か或いは、記憶回路６に格納された最適試し書き記録パワー値を出力させる記録系制御回路８と、記録系制御回路８から出力された記録パワー値或いは最適試し書きパワー値に基づいて、光ピックアップ３内の半導体レーザを駆動させる信号を出力するレーザ駆動回路９と、からなる。
なお、図２に示すように、光ディスク２の記録層の積層順番は、光ピックアップ３からの距離が近い方から順にＬｎ、Ｌｎ−１、…、Ｌ１、Ｌ０である。
【００１０】
ここで、Ｌｎ−１記録層に記録する記録パワーの決定について説明する。
Ｌｎ記録層に記録を行った後、Ｌｎ−１記録層に記録を行う場合にＬｎ記録層へのクロスイレーズを低減させる記録について説明する。
Ｌｎ記録層に記録を行った後にＬｎ−１記録層に記録を行う場合にＬｎ記録層へのクロスイレーズの影響が少なく、更にＬｎ−１記録層のジッタ値が所定値以下になるような記録パワーで記録することが必要とされる。Ｌｎ記録層及びＬｎ−１記録層のジッタ値とＬｎー１記録層の記録パワーとは、図３及び図４に示すような関係を有している。図３中、横軸は、Ｌｎ−１記録層に記録する記録パワー、縦軸は、Ｌｎ記録層のジッタ値を示し、図４中、横軸は、Ｌｎ−１記録層に記録する記録パワー、縦軸は、Ｌｎ−１記録層のジッタ値を示している。
【００１１】
図３に示すように、ジッタ値が許容範囲内に収まる最適記録パワーでＬｎ記録層に記録した後に、Ｌｎ−１記録層に記録を行った場合、Ｌｎ−１記録層への記録パワーがＰ１まではＬｎ記録層にクロスイレーズを生じないので、Ｌｎ記録層に影響はないが、このＰ１よりも大きいＰ２では、Ｌｎ記録層にクロスイレーズを生じるため、ジッタは、光記録再生装置１の許容値Ｍとなる。更に、記録パワーがＰ２よりも大きくなると、ジッタ値が許容値Ｍを超える。また、図４に示すように、Ｌｎ−１記録層のジッタ値は、記録パワーがＰ３以下では、光記録再生装置１の許容値Ｎ以上となるが、Ｐ３よりも大きくなると小さくなり、ｐ０で最小となる。
更に、Ｐ０よりも大きいＰ４で許容値Ｎとなり、これよりも大きくなると、許容値Ｎを超える。
ここで、許容値Ｍ、Ｎとは、光記録再生装置１がこれらの値以下で記録をおこなわなければならない上限値である。
【００１２】
記録パワーＰ１、Ｐ２、Ｐ３及びＰ４に大小関係がある場合、Ｌｎ記録層へのクロスイレーズを低減させ、最適な記録を行うためには、記録パワーを表１に示すようにすれば良い。
その結果を表１に示す。
【００１３】
【表１】
2004246943.tif 000003
【００１４】
次に、最適試し書き記録パワーでＬｎ記録層に記録を行った後、Ｌｎ記録層へのクロスイレーズの影響を低減させてＬｎ−１記録層に記録する動作方法について図５を用いて説明する。
まず、予め光ディスク２の所定領域に書き込まれているＬｎ記録層の記録設定値を初期値として試し書きを行い、徐々に記録パワーを上げてジッタ値を読みながらＬｎ記録層の最適試し書き記録パワーを求め記憶回路６に格納する。
更に、光ディスク２の所定領域に書き込まれているＬｎ−１記録層の最適記録パワーよりも小さく、かつＬｎ記録層にクロスイレーズを生じない記録パワーｐ１を光ピックアップ３、再生信号検出回路４を介して記録再生条件設定回路５に読み込んでおく。
記憶回路６に格納されているＬｎ記録層の最適試し書き記録パワーを記録系制御回路８に出力し、この最適試し書き記録パワーに基づいてレーザ駆動回路８から記録信号を出力して光ピックアップ３内の半導体レーザを駆動してＬｎ記録層に記録する（ステップ１）。
【００１５】
次に、記録再生条件設定回路５からＬｎ−１記録層への試し書き記録パワーｐ１を試し書き制御回路７に出力し、この試し書き記録パワーに基づいて記録系制御回路８、レーザ駆動回路９、光ピックアップ３を介して光ディスク２のＬｎ−１記録層の所定領域に試し書きする（ステップ２）。この後、Ｌｎ記録層及びＬｎ−１記録層の再生を行う（ステップ３）。
そして、Ｌｎ記録層の再生信号へのクロスイレーズの影響を調べる（ステップ４）。ステップ２〜３を繰り返すと、クロスイレーズの影響でジッタ値が増加する。記録パワーがＰ２になり、ジッタ値が光記録再生装置１の許容値Ｍに達したら、その時の記録パワーＰ２を基準として、更に同時に測定を行ったＬｎ−１記録層のジッタ値の状況を基にＬｎ−１記録層の記録パワーを決定する（ステップ５）。
【００１６】
このＬｎ−１記録層に記録する記録パワーの決定については、上記した記録パワーＰ０〜Ｐ３の大小関係によって最適値が得られる。
更に、ステップ１〜５までのステップを繰り返すことによって順次Ｌｎ−２記録層、…、Ｌ０記録層に記録する記録層間のクロスイレーズを低減させる最適記録パワーを決定することができる。
【００１７】
以上のように、本発明の実施形態によれば、複数の記録層を有する光ディスク２への記録再生を行う、少なくとも半導体レーザを含む光ピックアップ３と、この光ピックアップ３で検出された複数の記録層の再生信号を検出する再生信号検出回路４と、再生信号検出回路４で検出された複数の記録層毎の再生信号に基づいて、記録パワーが最適試し書き記録パワーでない場合には、試し書き記録パワーを再度出力し、最適試し書き記録パワーである場合には、この最適試し書き記録パワーを出力する記録再生条件設定回路５と、記録再生条件設定回路５から出力された最適試し書き記録パワー値を格納する記憶回路６と、記録再生条件設定回路５から出力された試し書き記録パワー値に基づいて、各記録層に試し書きする記録条件を出力する試し書き制御回路７と、更に、試し書き制御回路７から出力された各記録層に試し書きする記録パワー値或いは、記憶回路６に格納された最適試し書き記録パワー値を出力させる記録系制御回路８と、記録系制御回路８から出力された記録パワー値或いは最適試し書き記録パワー値に基づいて、光ピックアップ３内の半導体レーザを駆動させる信号を出力するレーザ駆動回路９と、からなるので、記録層間のクロスイレーズを低減した良好な記録が可能となる。
【００１８】
【発明の効果】
以上のように、本発明によれば、複数の記録層を有する光ディスクへの記録再生を行う光ディスク記録再生装置において、前記複数の記録層への記録再生を行う、少なくとも半導体レーザを備えた光ピックアップと、前記光ピックアップで検出された複数の記録層毎の再生信号を検出する再生信号検出手段と、前記複数の記録層毎の再生信号に基づいて、記録パワーが最適試し書き記録パワーでない場合には、試し書き記録パワー値を再度出力し、最適試し書き記録パワーである場合には、この最適試し書き記録パワー値を出力する記録再生条件設定手段と、前記記録再生条件設定手段から出力された前記最適試し書き記録パワー値を格納する記憶手段と、前記記録再生条件設定手段から出力された試し書き記録パワー値に基づいて、各記録層に試し書きする記録パワー値を出力する試し書き制御手段と、前記試し書き制御手段から出力された各記録層に試し書きする記録パワー値或いは、前記記憶手段に格納された最適試し書き記録パワー値を出力させる記録系制御手段と、前記記録系制御手段から出力された記録パワー値或いは前記最適試し書き記録パワー値に基づいて、前記光ピックアップ内の半導体レーザを駆動させる信号を出力するレーザ駆動手段と、からなるので、記録層間のクロスイレーズを低減し、良好な記録が可能となる。
【図面の簡単な説明】
【図１】本発明の実施形態の光記録再生装置を示す概略ブロック図である。
【図２】光ディスクの記録層の積層構造を示す図である。
【図３】Ｌｎ記録層に最適記録パワー値で記録を行った後、Ｌｎ−１記録層に記録を行う際に、Ｌｎ記録層におけるジッタ値とＬｎ−１記録層への記録パワーとの関係を示す図である。
【図４】Ｌｎ−１記録層のジッタ値とＬｎ−１記録層への記録パワーとの関係を示す図である。
【図５】光記録再生装置の動作を示すフローチャート図である。
【符号の説明】
１…光記録再生装置、２…光ディスク、３…光ピックアップ、４…再生信号検出手段（再生信号検出回路）、５…記録再生条件設定手段（記録再生条件設定回路）、６…記憶手段（記憶回路）、７…試し書き制御手段（試し書き制御回路）、８…記録系制御手段（記録系制御回路）、９…レーザ駆動手段（レーザ駆動回路）
【図１】
2004246943.tif 000004
【図２】
2004246943.tif 000005
【図３】
2004246943.tif 000006
【図４】
2004246943.tif 000007
【図５】
2004246943.tif 000008